(57)【要約】【課題】センシングデータのアップロードを促進する。【解決手段】課金サーバ１００は、被服６００に取り付けられた動作装置５２０の動作を制御するためのコンテンツデータのダウンロードに対するダウンロード料金を算出する。課金サーバ１００は、被服６００に取り付けられたセンサ５３０から収集されたセンシングデータのアップロード実績に基づいて、ダウンロード料金に対する割引額を算出する。課金サーバ１００は、ダウンロード料金から割引額を減じた金額を、アカウントに対する課金額として算出する。【選択図】図１
2020166343.tif 000002
【特許請求の範囲】
【請求項１】
第１被服に取り付けられた動作装置の動作を制御するためのコンテンツデータをコンテンツ提供サーバからダウンロードし、前記第１被服又は前記第１被服とは異なる被服である第２被服に取り付けられたセンサから収集されたセンシングデータをデータ収集サーバにアップロードするユーザが利用するアカウントに課金する課金システムであって、
前記コンテンツデータのダウンロードに対するダウンロード料金を算出するダウンロード料金算出手段と、
前記センシングデータのアップロード実績に基づいて、前記ダウンロード料金に対する割引額を算出する割引額算出手段と、
前記ダウンロード料金算出手段により算出された前記ダウンロード料金から前記割引額算出手段により算出された前記割引額を減じた金額を、前記アカウントに対する課金額として算出する課金額算出手段と、を備える、
課金システム。
【請求項２】
前記割引額算出手段は、前記データ収集サーバにアップロードされた前記センシングデータの種別と量とのうちの少なくとも一方に基づいて、前記割引額を算出する、
請求項１に記載の課金システム。
【請求項３】
前記センシングデータの種別と量とのうちの少なくとも一方と、前記割引額又は前記ダウンロード料金に対する割引率との対応関係を示す第１割引情報を、前記ユーザが操作する端末装置に送信する第１割引情報送信手段、を更に備える、
請求項２に記載の課金システム。
【請求項４】
前記割引額算出手段は、前記センシングデータとともに前記ユーザに関する情報であるユーザ情報が前記データ収集サーバにアップロードされなかった場合、前記割引額として第１割引額を算出し、前記センシングデータとともに前記ユーザ情報が前記データ収集サーバにアップロードされた場合、前記割引額として前記第１割引額よりも高い第２割引額を算出する、
請求項１から３のいずれか１項に記載の課金システム。
【請求項５】
前記ユーザ情報の種別と量とのうちの少なくとも一方と、前記割引額又は前記ダウンロード料金に対する割引率との対応関係を示す第２割引情報を、前記ユーザが操作する端末装置に送信する第２割引情報送信手段、を更に備える、
請求項４に記載の課金システム。
【請求項６】
前記データ収集サーバにアップロードされた前記センシングデータに基づいて、前記ユーザの動作と前記ユーザの身体状態とのうちの少なくとも一方に対する評価を示す評価情報を生成する評価情報生成手段と、
前記評価情報生成手段により生成された前記評価情報を、前記ユーザが操作する端末装置に送信する評価情報送信手段と、を更に備える、
請求項１から５のいずれか１項に記載の課金システム。
【請求項７】
前記データ収集サーバにアップロードされた前記センシングデータに基づいて、前記ユーザの動作と前記ユーザの身体状態とのうちの少なくとも一方に対するアドバイスを示すアドバイス情報を生成するアドバイス情報生成手段と、
前記アドバイス情報生成手段により生成された前記アドバイス情報を、前記ユーザが操作する端末装置に送信するアドバイス情報送信手段と、を更に備える、
請求項１から６のいずれか１項に記載の課金システム。
【請求項８】
前記アカウントは、複数のユーザにより利用され、
前記ダウンロード料金算出手段は、前記複数のユーザによる前記コンテンツデータのダウンロードに対する前記ダウンロード料金を算出し、
前記割引額算出手段は、前記複数のユーザによる前記センシングデータのアップロード実績に基づいて、前記ダウンロード料金に対する前記割引額を算出する、
請求項１から７のいずれか１項に記載の課金システム。
【請求項９】
第１被服に取り付けられた動作装置の動作を制御するためのコンテンツデータをダウンロードし、前記第１被服又は前記第１被服とは異なる被服である第２被服に取り付けられたセンサから収集されたセンシングデータをアップロードするユーザが利用するアカウントに課金する課金方法であって、
前記コンテンツデータのダウンロードに対するダウンロード料金から、前記センシングデータのアップロード実績に基づく割引額を減じた金額を、前記アカウントに対する課金額として算出する、
課金方法。
【発明の詳細な説明】
【技術分野】
【０００１】
本発明は、課金システム、及び、課金方法に関する。
【背景技術】
【０００２】
現在、人が着用する被服にセンサやアクチュエータを取り付け、人体に関する情報を収集したり、人体に振動を与えたりする技術が知られている。このような被服には、センサやアクチュエータに電力を供給するとともに、センサやアクチュエータが送受信する情報を伝送する繊維構造体が用いられることがある。繊維構造体は、例えば、導電性を有する導電糸と導電性を有しない非導電糸とが編み込まれ又は織り込まれて形成される。このような繊維構造体は、例えば、特許文献１に記載されている。
【０００３】
ここで、アクチュエータの動作を制御するためのコンテンツデータは、例えば、ユーザの要求に応じて、サプライヤーからユーザに有料で提供される。一方、センサから収集されたセンシングデータは、サプライヤーにとって有用なデータである場合がある。この場合、センシングデータは、例えば、ユーザの同意のもと、アップロードにより、ユーザからサプライヤーに提供される。
【先行技術文献】
【特許文献】
【０００４】
【特許文献１】特開２０１７−２５４３２号公報
【発明の概要】
【発明が解決しようとする課題】
【０００５】
しかしながら、センシングデータのアップロードに何のメリットもない場合、ユーザの同意が得られず、センシングデータのアップロードが実現されない可能性が高い。一方、特許文献１には、センシングデータのアップロードに関しては何も記載されていない。このため、センシングデータのアップロードを促進する技術が望まれている。
【０００６】
本発明は、上記問題に鑑みてなされたものであり、センシングデータのアップロードを促進する課金システム、及び、課金方法を提供することを目的とする。
【課題を解決するための手段】
【０００７】
上記目的を達成するために、本発明の第１の観点に係る課金システムは、
第１被服に取り付けられた動作装置の動作を制御するためのコンテンツデータをコンテンツ提供サーバからダウンロードし、前記第１被服又は前記第１被服とは異なる被服である第２被服に取り付けられたセンサから収集されたセンシングデータをデータ収集サーバにアップロードするユーザが利用するアカウントに課金する課金システムであって、
前記コンテンツデータのダウンロードに対するダウンロード料金を算出するダウンロード料金算出手段と、
前記センシングデータのアップロード実績に基づいて、前記ダウンロード料金に対する割引額を算出する割引額算出手段と、
前記ダウンロード料金算出手段により算出された前記ダウンロード料金から前記割引額算出手段により算出された前記割引額を減じた金額を、前記アカウントに対する課金額として算出する課金額算出手段と、を備える。
【０００８】
前記割引額算出手段は、前記データ収集サーバにアップロードされた前記センシングデータの種別と量とのうちの少なくとも一方に基づいて、前記割引額を算出してもよい。
【０００９】
前記センシングデータの種別と量とのうちの少なくとも一方と、前記割引額又は前記ダウンロード料金に対する割引率との対応関係を示す第１割引情報を、前記ユーザが操作する端末装置に送信する第１割引情報送信手段、を更に備えてもよい。
【００１０】
前記割引額算出手段は、前記センシングデータとともに前記ユーザに関する情報であるユーザ情報が前記データ収集サーバにアップロードされなかった場合、前記割引額として第１割引額を算出し、前記センシングデータとともに前記ユーザ情報が前記データ収集サーバにアップロードされた場合、前記割引額として前記第１割引額よりも高い第２割引額を算出してもよい。
【００１１】
前記ユーザ情報の種別と量とのうちの少なくとも一方と、前記割引額又は前記ダウンロード料金に対する割引率との対応関係を示す第２割引情報を、前記ユーザが操作する端末装置に送信する第２割引情報送信手段、を更に備えてもよい。
【００１２】
前記データ収集サーバにアップロードされた前記センシングデータに基づいて、前記ユーザの動作と前記ユーザの身体状態とのうちの少なくとも一方に対する評価を示す評価情報を生成する評価情報生成手段と、
前記評価情報生成手段により生成された前記評価情報を、前記ユーザが操作する端末装置に送信する評価情報送信手段と、を更に備えてもよい。
【００１３】
前記データ収集サーバにアップロードされた前記センシングデータに基づいて、前記ユーザの動作と前記ユーザの身体状態とのうちの少なくとも一方に対するアドバイスを示すアドバイス情報を生成するアドバイス情報生成手段と、
前記アドバイス情報生成手段により生成された前記アドバイス情報を、前記ユーザが操作する端末装置に送信するアドバイス情報送信手段と、を更に備えてもよい。
【００１４】
前記アカウントは、複数のユーザにより利用され、
前記ダウンロード料金算出手段は、前記複数のユーザによる前記コンテンツデータのダウンロードに対する前記ダウンロード料金を算出し、
前記割引額算出手段は、前記複数のユーザによる前記センシングデータのアップロード実績に基づいて、前記ダウンロード料金に対する前記割引額を算出してもよい。
【００１５】
上記目的を達成するために、本発明の第２の観点に係る課金方法は、
第１被服に取り付けられた動作装置の動作を制御するためのコンテンツデータをダウンロードし、前記第１被服又は前記第１被服とは異なる被服である第２被服に取り付けられたセンサから収集されたセンシングデータをアップロードするユーザが利用するアカウントに課金する課金方法であって、
前記コンテンツデータのダウンロードに対するダウンロード料金から、前記センシングデータのアップロード実績に基づく割引額を減じた金額を、前記アカウントに対する課金額として算出する。
【発明の効果】
【００１６】
本発明によれば、センシングデータのアップロードを促進することができる。
【図面の簡単な説明】
【００１７】
【図１】本発明の実施形態１に係る課金サーバが適用されるシステムの構成図
【図２】本発明の実施形態１に係る被服の構成図
【図３】本発明の実施形態１に係る繊維構造体の分解斜視図
【図４】本発明の実施形態１に係る取付部材の斜視図
【図５】本発明の実施形態１に係る取付部材の断面図
【図６】本発明の実施形態１に係る課金システムの機能構成図
【図７】第１割引情報を示す図
【図８】第２割引情報を示す図
【図９】本発明の実施形態１に係る課金サーバが実行するアップロード促進処理を示すフローチャート
【図１０】図９における課金額算出処理を示すフローチャート
【図１１】設定画面を示す図
【図１２】評価提示画面を示す図
【図１３】本発明の実施形態２に係る課金サーバが適用されるシステムの構成図
【図１４】本発明の実施形態２に係る課金システムの機能構成図
【図１５】アドバイス提示画面を示す図
【発明を実施するための形態】
【００１８】
以下、本発明の実施形態について、図面を参照して説明する。なお、図中において、同一又は対応する部分には、同一の符号を付す。
【００１９】
（実施形態１）
まず、図１を参照して、本発明の実施形態１に係る課金サーバ１００が適用されるシステムについて説明する。図１に示すように、このシステムにおいて、課金サーバ１００は、通信ネットワーク７００を介して、コンテンツ提供サーバ２００と、データ収集サーバ３００と、端末装置４００とに接続される。ここで、端末装置４００は、被服６００に取り付けられた制御装置５１０と通信する。また、制御装置５１０は、被服６００に取り付けられた動作装置５２０及びセンサ５３０と通信する。
【００２０】
課金サーバ１００は、コンテンツ提供サーバ２００から端末装置４００へのコンテンツデータのダウンロードに対する課金額を算出するサーバである。より詳細には、課金サーバ１００は、端末装置４００からデータ収集サーバ３００にアップロードされたセンシングデータのアップロード実績を考慮して、課金額を算出する。課金サーバ１００は、単位期間毎、例えば、１ヶ月毎に、課金額を算出する。図１に示すように、課金サーバ１００は、物理的には、プロセッサ１１と、ハードディスク１２と、通信インターフェース１３とを備える。
【００２１】
プロセッサ１１は、課金サーバ１００の全体の動作を制御する。プロセッサ１１は、例えば、ＲＯＭ（Read Only Memory）、ＲＡＭ（Random Access Memory）、ＲＴＣ（Real Time Clock）などを内蔵したＣＰＵ（Central Processing Unit）である。なお、ＣＰＵは、例えば、ＲＯＭに格納されている基本プログラムに従って動作し、ＲＡＭをワークエリアとして使用する。
【００２２】
ハードディスク１２は、各種の情報を記憶する。ハードディスク１２は、例えば、プロセッサ１１が実行するプログラムを記憶する。また、ハードディスク１２は、アップロード促進処理で用いる各種のデータを記憶する。通信インターフェース１３は、課金サーバ１００を通信ネットワーク７００に接続するための通信インターフェースである。通信インターフェース１３は、例えば、ＮＩＣ（Network Interface Card）である。
【００２３】
コンテンツ提供サーバ２００は、ユーザにコンテンツデータを提供する。より詳細には、コンテンツ提供サーバ２００は、動作装置５２０の動作を制御するためのコンテンツデータを、通信ネットワーク７００を介して、ユーザが利用する端末装置４００に送信する。コンテンツデータは、例えば、動作装置５２０の個体毎に、動作装置５２０に実行させる動作の種別と動作装置５２０に動作を実行させるタイミングとを定義するデータである。
【００２４】
データ収集サーバ３００は、ユーザからセンシングデータを収集する。より詳細には、データ収集サーバ３００は、センサ５３０から収集されたセンシングデータを、通信ネットワーク７００を介して、ユーザが利用する端末装置４００から受信する。センシングデータは、例えば、センサ５３０の個体毎に、検出されたセンサ値とセンサ値が検出された時刻とを示すデータである。
【００２５】
端末装置４００は、ユーザが操作する装置である。端末装置４００は、コンテンツデータのダウンロードとセンシングデータのアップロードとを実行する。つまり、端末装置４００は、ユーザによる指示に従って、コンテンツ提供サーバ２００からコンテンツデータをダウンロードする。また、端末装置４００は、ユーザによる許可のもと、データ収集サーバ３００にセンシングデータをアップロードする。端末装置４００は、例えば、スマートフォン、タブレット端末、パーソナルコンピュータである。図１に示すように、端末装置４００は、物理的には、プロセッサ４１と、フラッシュメモリ４２と、タッチスクリーン４３と、第１通信インターフェース４４と、第２通信インターフェース４５とを備える。
【００２６】
プロセッサ４１は、端末装置４００の全体の動作を制御する。プロセッサ４１は、例えば、ＲＯＭ、ＲＡＭ、ＲＴＣなどを内蔵したＣＰＵである。なお、ＣＰＵは、例えば、ＲＯＭに格納されている基本プログラムに従って動作し、ＲＡＭをワークエリアとして使用する。フラッシュメモリ４２は、各種の情報を記憶する不揮発性メモリである。フラッシュメモリ４２は、例えば、プロセッサ４１が実行するプログラムを記憶する。
【００２７】
タッチスクリーン４３は、ユーザによりなされた操作を検知し、検知の結果を示す信号をプロセッサ４１に供給する。また、タッチスクリーン４３は、プロセッサ４１による制御に従って、情報を表示する。第１通信インターフェース４４は、端末装置４００を通信ネットワーク７００に接続するための通信インターフェースである。第１通信インターフェース４４は、例えば、ＮＩＣである。第２通信インターフェース４５は、無線通信又は有線通信により、端末装置４００を制御装置５１０と通信させるための通信インターフェースである。第２通信インターフェース４５は、例えば、ＵＳＢ（Universal Serial Bus）、Ｂｌｕｅｔｏｏｔｈ（登録商標）による通信を実現するための通信インターフェースである。
【００２８】
制御装置５１０は、端末装置４００と動作装置５２０とセンサ５３０と通信する。具体的には、制御装置５１０は、端末装置４００による制御に従って、又は、端末装置４００から受信したコンテンツデータに基づいて、動作装置５２０の動作を制御する。また、制御装置５１０は、センサ５３０から収集したセンシングデータを、端末装置４００に送信する。制御装置５１０は、動作装置５２０を制御し、センサ５３０を監視する、マスタ装置である。
【００２９】
動作装置５２０は、コンテンツデータに基づく制御装置５１０による制御に従って動作する。動作装置５２０は、例えば、アクチュエータ、発光装置、発熱装置、冷却装置、磁気放射装置、電波放射装置、画像表示装置である。アクチュエータは、電気信号を物理的運動に変換する機械要素である。アクチュエータは、例えば、電気信号に従って、物体を往復運動又は回転運動させる。アクチュエータには、電気信号に従って物体を振動させることにより音を発生させるブザー、スピーカが含まれる。
【００３０】
発光装置は、電気信号を光に変換する装置である。発光装置は、例えば、ＬＥＤ（Light Emitting Diode）、電球、レーザ装置である。発熱装置は、例えば、電気信号を熱に変換する装置である。冷却装置は、例えば、ペルチェ効果を利用して、温度を制御する吸熱装置である。磁気放射装置は、例えば、電気信号を磁気に変換する装置である。電波放射装置は、例えば、ビーコン信号を発信する装置である。画像表示装置は、例えば、液晶ディスプレイなどにより、文字、写真、動画などの映像を表示する装置である。動作装置５２０は、制御装置５１０により制御されるスレーブ装置である。
【００３１】
コンテンツデータは、例えば、アクチュエータである動作装置５２０の個体毎に、振動パターンを定義するデータである。振動パターンは、例えば、振動の強さと振動のタイミングとにより定義される。或いは、コンテンツデータは、例えば、発光装置である動作装置５２０の個体毎に、発光パターンを定義するデータである。発光パターンは、例えば、発光の強さと発光のタイミングとにより定義される。
【００３２】
コンテンツデータは、例えば、端末装置４００が再生する、ゲーム、楽曲、動画の進行に合わせて、動作装置５２０を振動又は発光させるためのデータである。ゲーム、楽曲、動画は、例えば、コンテンツデータとともに、コンテンツ提供サーバ２００から端末装置４００に提供される。
【００３３】
本実施形態では、被服６００には、複数の種別の動作装置５２０が取り付けられているものとする。具体的には、被服６００には、アクチュエータである複数の動作装置５２０と、発光装置である複数の動作装置５２０とが取り付けられているものとする。また、発光装置である複数の動作装置５２０が発光する光の色は、全て同じ色でもよいし、動作装置５２０毎に異なっていてもよい。
【００３４】
センサ５３０は、対象の情報を電気信号に変換する素子である。センサ５３０は、検出したセンサ値を示すセンシングデータを、予め定められた時間が経過する毎に、制御装置５１０に送信する。センサ５３０は、例えば、加速度センサ、ジャイロセンサ、温度センサ、湿度センサ、赤外線センサ、心拍センサ、脈波センサ、筋電センサ、血糖センサ、血圧センサ、血流センサ、脳波センサ、呼気センサ、発汗センサ、触覚センサ、感圧センサである。本実施形態では、被服６００には、加速度センサである複数のセンサ５３０が取り付けられているものとする。センサ５３０は、制御装置５１０により監視されるスレーブ装置である。
【００３５】
被服６００は、人体に振動を与えたり、人体に関する情報を収集したりするために、ユーザが着用する物である。被服６００は、例えば、衣服、帽子、手袋、靴下、サポーター、靴である。本実施形態では、被服６００は、衣服であるものとする。また、本実施形態では、複数のアクチュエータと複数のＬＥＤとが動作装置５２０として被服６００に取り付けられ、複数の加速度センサがセンサ５３０として被服６００に取り付けられるものとする。そして、本実施形態では、コンテンツデータに従って振動及び発光する被服６００を着用するユーザの身体の各部の加速度データが、センシングデータとしてデータ収集サーバ３００にアップロードされる例について説明する。なお、図１では、理解を容易にするため、動作装置５２０とセンサ５３０とをそれぞれ１つだけ図示している。
【００３６】
ユーザは、振動及び発光による演出を楽しみながら、身体を動かすことができる。ここで、センシングデータから後述する評価情報が得られる場合、ユーザは、ユーザの動きが理想的な動きにどの程度近いのかを知ることができる。従って、ユーザには、評価情報を得るためにセンシングデータを積極的にアップロードする動機付けが発生する。以下、図２を参照して、被服６００について説明する。
【００３７】
図２に示すように、被服６００は、繊維構造体６１０を備える。繊維構造体６１０は、繊維により構成された構造体である。繊維構造体６１０は、電力を供給したり情報を伝送したりするウェアラブルな伝送シートである。繊維構造体６１０は、被服６００の生地として使用されてもよいし、既存の被服６００に取り付けられて使用されてもよい。なお、繊維構造体６１０は被服６００の複数箇所に設けられるが、図２には、被服６００の前面片側に設けられた繊維構造体６１０のみを示している。
【００３８】
図３に示すように、繊維構造体６１０は、基本的に、導電層６１１と、絶縁層６１３と、導電層６１２とが、順に積層されて構成される。導電層６１１と導電層６１２とは、導体を備え、導電性を有する層である。導電層６１１と導電層６１２とは、電力と情報とを伝送する媒体として機能する。本実施形態では、導電層６１１と導電層６１２とは、メッシュ状の開孔を有し、導電層６１１と導電層６１２とを平面視したときの柄は格子柄であるものとする。なお、開孔の大きさ、開孔の間隔、柄などは、繊維構造体６１０の用途、電源電圧、信号電圧、信号の周波数、最長伝送距離などに応じて、適宜、調整される。
【００３９】
また、本実施形態では、導電層６１２が接地電位に設定され、導電層６１１に、電力供給のための電源電圧と情報伝送のための信号とが印加される。導電層６１１と導電層６１２とは、例えば、導電性を有する導電糸により構成される。ただし、導電層６１１と導電層６１２とは、例えば、導電性を有しない非導電糸により構成された布に、導電インクをプリント、又は、金属をめっきしたもの等であってもよい。布としては、織物、編物、不織布のいずれも選択できる。また、布だけでなく、フイルムも用いてもよい。
【００４０】
絶縁層６１３は、導電層６１１と導電層６１２とを相互に絶縁するための層として機能する。従って、絶縁層６１３は、導電層６１１と導電層６１２との間に配置される。ここで、導電層６１１と導電層６１２とが接触すると、電力の供給や情報の伝送ができないだけでなく、大電流が流れて発熱する可能性があり、好ましくない。そこで、本実施形態では、導電層６１１と導電層６１２とが接触しないように、絶縁層６１３の厚さが十分に厚いものとする。絶縁層６１３は、例えば、導電性を有しない非導電糸により構成される。
【００４１】
導電層６１１と導電層６１２と絶縁層６１３とは、織り込み又は編み込みにより一体的に形成されてもよいし、別々に形成された後に相互に固定されてもよい。固定方法としては、例えば、非導電糸による縫い付け、接着剤による接着、両面テープによる貼り付けなどがある。繊維構造体６１０は、基本的に、導電糸と非導電糸とにより構成されるため、柔軟性に富む。
【００４２】
繊維構造体６１０には、制御装置５１０と、複数の動作装置５２０と、複数のセンサ５３０と、電源装置５４０とが、例えば、取付部材５５０により取り付けられる。電源装置５４０は、制御装置５１０と動作装置５２０とセンサ５３０とに電力を供給する装置である。電源装置５４０は、導電層６１１と導電層６１２との間に、電源電圧を印加する。つまり、電源装置５４０は、導電層６１１を電源電位に設定し、導電層６１２を接地電位に設定する。
【００４３】
以下、図４と図５とを参照して、制御装置５１０を、取付部材５５０を用いて繊維構造体６１０に取り付ける方法について説明する。なお、動作装置５２０とセンサ５３０と電源装置５４０とは、制御装置５１０と同様に、取付部材５５０を用いて繊維構造体６１０に取り付けることができる。図４に示すように、取付部材５５０は、基本的に、回路基板５５１と、支持部材５５２と、中継基板５５８と、固定部材５５９と、鋲５６２とを備える。
【００４４】
また、図５に示すように、取付部材５５０は、繊維構造体６１０に差し込まれた鋲５６２が固定部材５５９により固定されることにより、繊維構造体６１０に固定される。図５は、鋲５６２と繊維構造体６１０とを、鋲５６２が備える突出部５６４の中心軸を含む切断面で切断したときの断面図である。ただし、図５では、理解を容易にするため、固定部材５５９の一部の図示を省略している。
【００４５】
回路基板５５１は、制御装置５１０を搭載する回路基板である。回路基板５５１は、電極５５３と電極５５４とを備える。回路基板５５１は、制御装置５１０に直流電力を供給し、制御装置５１０と動作装置５２０とセンサ５３０との間で送受信される信号を中継する。支持部材５５２は、回路基板５５１を支持する部材であり、取付部材５５０全体の土台となる部材である。
【００４６】
中継基板５５８は、導電層６１１と電極５５３との接続と、導電層６１２と電極５５４との接続とを中継する。中継基板５５８は、電線５５５と電線５５６と電線５５７とにより回路基板５５１に固定される。固定部材５５９は、導電層６１２側において鋲５６２の突出部５６４と固定される。固定部材５５９は、電極５６０と、ソケット５６１と、を備える。電極５６０とソケット５６１とは、導体で構成される。
【００４７】
鋲５６２は、導電層６１１側から導電層６１２側に向けて繊維構造体６１０に差し込まれる部材である。鋲５６２は、導体により構成される。鋲５６２は、電極５６３と、突出部５６４と、を備える。電極５６３は、鋲５６２が繊維構造体６１０に差し込まれたときに、導電層６１１と接触する部分である。電極５６３は、鋲５６２が備える笠型の部位の裏面の部分である。突出部５６４は、鋲５６２が繊維構造体６１０に差し込まれたときに、導電層６１２から突出する部分である。
【００４８】
鋲５６２は、導電層６１１側から導電層６１２側に向けて、導電層６１２が有する開孔を通過するように、繊維構造体６１０に差し込まれる。すると、突出部５６４が導電層６１２側に突出し、電極５６３が導電層６１１に接触する。ここで、突出部５６４が、ソケット５６１に差し込まれるように、固定部材５５９を導電層６１２側から繊維構造体６１０に押し当てる。すると、突出部５６４とソケット５６１とが接触し、電極５６０と導電層６１２とが接触し、鋲５６２が固定部材５５９により支持される。
【００４９】
このように、繊維構造体６１０を貫通した突出部５６４がソケット５６１に嵌め込まれると、鋲５６２と固定部材５５９とが繊維構造体６１０を挟んだ状態で、鋲５６２と固定部材５５９とが相互に固定される。すると、取付部材５５０が繊維構造体６１０に固定され、制御装置５１０が繊維構造体６１０に固定される。
【００５０】
このとき、導電層６１１と電極５６３と突出部５６４とソケット５６１と電線５５５と電極５５３とが導通する。また、導電層６１２と電極５６０と電線５５６と電極５５４とが導通する。つまり、回路基板５５１は、電極５５３を介して導電層６１１と接続され、電極５５４を介して導電層６１２と接続される。
【００５１】
ここで、制御装置５１０と動作装置５２０とセンサ５３０とは、Ｉ２Ｃ（Inter Integrated Circuit）に対応した半二重方式のシリアルバスインターフェースを備え、Ｉ２Ｃ通信が可能である。Ｉ２Ｃ通信は、シリアルクロック線であるＳＣＬ（Serial Clock）とシリアルデータ線であるＳＤＡ（Serial Data）とを用いて、１つのマスタが１つ以上のスレーブと通信する通信方式である。本実施形態では、制御装置５１０が備えるシリアルバスインターフェースがマスタであり、動作装置５２０とセンサ５３０が備えるシリアルバスインターフェースがスレーブである。
【００５２】
ＳＣＬは、同期をとるための信号線である。ＳＤＡは、ＳＣＬに同期する信号線であり、データの転送に用いられる信号線である。一般的に、Ｉ２Ｃ通信では、マスタとスレーブとは、ＳＣＬとＳＤＡと接地線との３つの導体で相互に接続される。ただし、本実施形態では、マスタとスレーブとは、導電層６１１と導電層６１２との２つの導体で相互に接続される。ここで、導電層６１２は、接地線としての役割を果たす。一方、導電層６１１は、ＳＣＬを用いて送信すべきデータとＳＤＡを用いて送信すべきデータとの双方のデータを送信する役割を果たす。具体的には、本実施形態では、互いに異なる周波数を有する２つの搬送波をそれぞれ２つのデータで変調し、変調により得られた２つの変調信号を導電層６１１に重畳する。
【００５３】
通信ネットワーク７００は、広域ネットワークであり、例えば、インターネットである。通信ネットワーク７００は、課金サーバ１００とコンテンツ提供サーバ２００とデータ収集サーバ３００と端末装置４００とを相互に接続する。
【００５４】
次に、図６を参照して、課金システム１０００の機能について説明する。なお、課金システム１０００は、実質的に、課金サーバ１００である。図６に示すように、課金システム１０００は、機能的には、ダウンロード料金算出部１０１と、割引額算出部１０２と、課金額算出部１０３と、第１割引情報送信部１０４と、第２割引情報送信部１０５と、評価情報生成部１０６と、評価情報送信部１０７とを備える。
【００５５】
ダウンロード料金算出手段は、例えば、ダウンロード料金算出部１０１に対応する。割引額算出手段は、例えば、割引額算出部１０２に対応する。課金額算出手段は、例えば、課金額算出部１０３に対応する。第１割引情報送信手段は、例えば、第１割引情報送信部１０４に対応する。第２割引情報送信手段は、例えば、第２割引情報送信部１０５に対応する。評価情報生成手段は、例えば、評価情報生成部１０６に対応する。評価情報送信手段は、例えば、評価情報送信部１０７に対応する。
【００５６】
課金システム１０００は、ユーザが利用するアカウントに課金する。ユーザは、第１被服に取り付けられた動作装置５２０の動作を制御するためのコンテンツデータをコンテンツ提供サーバ２００からダウンロードする。また、ユーザは、第１被服又は第２被服に取り付けられたセンサ５３０から収集されたセンシングデータをデータ収集サーバ３００にアップロードする。第１被服は、動作装置５２０が取り付けられた被服である。本実施形態では、第１被服は、被服６００である。第２被服は、第１被服とは異なる被服である。つまり、センサ５３０は、第１被服に取り付けられてもよいし、第２被服に取り付けられていてもよい。本実施形態では、センサ５３０は、第１被服に取り付けられているものとする。
【００５７】
ダウンロード料金算出部１０１は、コンテンツデータのダウンロードに対するダウンロード料金を算出する。ダウンロード料金は、従量制、定額制、定額従量制のいずれでもよい。従量制は、ダウンロードしたコンテンツデータの量であるダウンロード量、又は、コンテンツデータのダウンロードに要した時間であるダウンロード時間に応じて、課金される課金制度である。ダウンロード量は、ダウンロードされたコンテンツデータの合計データ容量であってもよいし、コンテンツデータがダウンロードされた回数であってもよい。定額制は、ダウンロード量及びダウンロード時間に拘わらず、料金が一定である課金制度である。定額従量制は、ダウンロード量又はダウンロード時間が予め定められた閾値を超えるまでは料金が一定であり、ダウンロード量又はダウンロード時間が閾値を超過した場合、超過分の料金が従量制となる課金制度である。
【００５８】
ダウンロード料金算出部１０１は、例えば、契約情報とダウンロード実績情報とに基づいて、ダウンロード料金を決定する。契約情報は、例えば、コンテンツ提供サーバ２００によりコンテンツデータを提供するコンテンツ提供者と、コンテンツデータのダウンロードに用いるアカウントを利用するユーザとの間で締結された契約の内容を示す情報である。契約情報は、例えば、契約種別情報と料金情報とを含む。なお、ユーザは、アカウントを用いてコンテンツ提供サーバ２００にログインし、コンテンツデータをダウンロードする。本実施形態では、一人のユーザが、１つのアカウントを利用するものとする。つまり、本実施形態では、アカウント対する課金額は、実質的に、ユーザに対する課金額である。
【００５９】
契約種別情報は、例えば、課金制度が従量制、定額制、定額従量制のいずれであるのかを示す情報である。課金制度が従量制である場合、料金情報は、例えば、単位ダウンロード量又は単位ダウンロード時間当たりの料金を示す情報である。課金制度が定額制である場合、料金情報は、例えば、定額料金を示す情報である。課金制度が定額従量制である場合、料金情報は、例えば、定額料金と、超過分の単位ダウンドーロ量又は超過分の単位ダウンロード時間当たりの料金と、を示す情報である。契約情報は、例えば、課金サーバ１００又はコンテンツ提供サーバ２００に記憶される。
【００６０】
ダウンロード実績情報は、ユーザが、アカウントを用いて、コンテンツ提供サーバ２００から端末装置４００にコンテンツデータをダウンロードした実績を示す情報である。ダウンロード実績情報は、例えば、単位期間におけるダウンロード量又はダウンロード時間を示す情報である。単位期間は、課金額の算定期間であり、例えば、一ヶ月である。ダウンロード実績情報は、例えば、コンテンツ提供サーバ２００に記憶される。なお、ダウンロード料金算出部１０１が算出するダウンロード料金は、後述する割引額が割り引かれる前の料金である。ダウンロード料金算出部１０１の機能は、例えば、プロセッサ１１の機能により実現される。
【００６１】
割引額算出部１０２は、単位期間におけるセンシングデータのアップロード実績に基づいて、ダウンロード料金に対する割引額を算出する。センシングデータのアップロード実績は、例えば、データ収集サーバ３００に記憶されたアップロード実績情報により示される。アップロード実績は、例えば、アップロードされたセンシングデータの種別と、アップロードされたセンシングデータのアップロード量とを示す情報である。
【００６２】
アップロード量は、アップロードされたセンシングデータの合計データ容量であってもよいし、センシングデータがアップロードされた回数であってもよい。割引額算出部１０２の機能は、例えば、プロセッサ１１の機能により実現される。
【００６３】
課金額算出部１０３は、ダウンロード料金算出部１０１により算出されたダウンロード料金から割引額算出部１０２により算出された割引額を減じた金額を、アカウントに対する課金額として算出する。従って、センシングデータのアップロードに用いられたアカウントでコンテンツデータがダウンロードされた場合、ダウンロードに対する課金額が減額される。課金額算出部１０３の機能は、例えば、プロセッサ１１の機能により実現される。
【００６４】
ここで、割引額算出部１０２は、データ収集サーバ３００にアップロードされたセンシングデータの種別と量とのうちの少なくとも一方に基づいて、割引額を算出する。割引額算出部１０２は、例えば、アップロードされたセンシングデータの種別が、利用価値が高い種別であるほど、大きい割引額を算出する。また、割引額算出部１０２は、例えば、アップロードされたセンシングデータのデータ量が大きいほど、大きい割引額を算出する。
【００６５】
第１割引情報送信部１０４は、第１割引情報を、ユーザが操作する端末装置４００に送信する。第１割引情報は、センシングデータの種別と量とのうちの少なくとも一方と、割引額又はダウンロード料金に対する割引率との対応関係を示す情報である。第１割引情報は、センシングデータのアップロードによりどの程度の割引が期待できるのかを示す情報である。端末装置４００が第１割引情報に基づく情報をユーザに提示することにより、センシングデータのアップロードを促進する効果が期待できる。なお、第１割引情報は、割引額算出部１０２による割引のルールを示す情報とも言える。
【００６６】
図７を参照して、第１割引情報について説明する。第１割引情報は、例えば、データ種別とアップロード回数（回）と割引率（％）との対応関係を示す情報である。データ種別は、アップロードされるセンシングデータの種別、又は、アップロードされるセンシングデータの種別の組み合わせである。本実施形態では、データ種別は、動作関連データと身体関連データとに大別される。
【００６７】
データ種別は、例えば、動作関連データのみ、身体関連データのみ、全センシングデータのいずれかである。動作関連データは、ユーザの動作に関連するセンシングデータである。動作関連データを出力するセンサ５３０は、例えば、加速度センサ、ジャイロセンサである。身体関連データは、ユーザの身体に関するセンシングデータである。身体関連データを出力するセンサ５３０は、例えば、脈拍センサ、脳波センサ、発汗センサである。
【００６８】
本実施形態では、ユーザが、動作関連データよりも身体関連データの方がアップロードを許容することに抵抗があるものと見做し、動作関連データよりも身体関連データの方が、割引率が高いものとする。ただし、動作関連データと身体関連データとの双方のアップロードが許容された場合、最も割引率が高いものとする。また、アップロード回数は、センシングデータをアップロードする回数である。アップロード回数が多いほど、割引率が高いことが好適である。第１割引情報送信部１０４の機能は、例えば、プロセッサ１１と通信インターフェース１３とが協働することにより実現される。
【００６９】
また、割引額算出部１０２は、センシングデータとともにユーザ情報がデータ収集サーバ３００にアップロードされなかった場合、割引額として第１割引額を算出する。一方、割引額算出部１０２は、センシングデータとともにユーザ情報がデータ収集サーバ３００にアップロードされた場合、割引額として第１割引額よりも高い第２割引額を算出する。ユーザ情報は、ユーザに関する情報であり、例えば、ユーザの属性を示す情報である。ユーザ情報は、例えば、ユーザの年齢、ユーザの性別、ユーザのコンテンツデータを用いたゲームのプレイ年数である。
【００７０】
センシングデータにユーザ情報が付加されている場合、センシングデータの利用時に便利なことが多い。例えば、ユーザ情報により、どのようなユーザがアップロードしたセンシングデータであるのかが判別可能である方が、センシングデータを分析する場合、分析精度が高いことが期待できる。そこで、ユーザ情報のアップロードが促進されるように、ユーザ情報がアップロードされたときの割引率が高いことが好適である。
【００７１】
第２割引情報送信部１０５は、第２割引情報を、ユーザが操作する端末装置４００に送信する。第２割引情報は、ユーザ情報の種別と量とのうちの少なくとも一方と、割引額又はダウンロード料金に対する割引率との対応関係を示す情報である。第２割引情報は、ユーザ情報のアップロードによりどの程度の割引が期待できるのかを示す情報である。端末装置４００が第２割引情報に基づく情報をユーザに提示することにより、ユーザ情報のアップロードを促進する効果が期待できる。第２割引情報は、割引額算出部１０２による割引のルールを示す情報とも言える。
【００７２】
図８を参照して、第２割引情報について説明する。第２割引情報は、例えば、ユーザ情報種別と割引額（円）との対応関係を示す情報である。ユーザ情報種別は、アップロードされるユーザ情報の種別、又は、アップロードされるユーザ情報の種別の組み合わせである。本実施形態では、ユーザ情報種別は、基本ユーザ情報と詳細ユーザ情報とに大別される。ユーザ情報種別は、基本ユーザ情報のみ、詳細ユーザ情報のみ、全ユーザ情報のいずれかである。基本ユーザ情報は、ユーザに関する基本的な情報である。詳細ユーザ情報は、ユーザに関する詳細な情報である。
【００７３】
本実施形態では、ユーザが、基本ユーザ情報よりも詳細ユーザ情報の方がアップロードすることに抵抗があるものと見做し、基本ユーザ情報よりも詳細ユーザ情報の方が、割引額が大きいものとする。ただし、基本ユーザ情報と詳細ユーザ情報との双方がアップロードされた場合、最も割引額が大きいものとする。第２割引情報送信部１０５の機能は、例えば、プロセッサ１１と通信インターフェース１３とが協働することにより実現される。
【００７４】
評価情報生成部１０６は、データ収集サーバ３００にアップロードされたセンシングデータに基づいて、評価情報を生成する。評価情報は、ユーザの動作とユーザの身体状態とのうちの少なくとも一方に対する評価を示す情報である。例えば、評価情報生成部１０６は、ユーザの動作を示すセンシングデータがアップロードされた場合、ユーザの動作に対する評価を示す評価情報を生成する。具体的には、例えば、評価情報生成部１０６は、ユーザの身体の各部に設けられた加速度センサが生成したセンシングデータがアップロードされた場合、ユーザの動作と理想的な動作との類似度を示す評価情報を生成する。評価情報生成部１０６の機能は、例えば、プロセッサ１１の機能により実現される。
【００７５】
評価情報送信部１０７は、評価情報生成部１０６により生成された評価情報を、ユーザが操作する端末装置４００に送信する。なお、端末装置４００が評価情報に基づく情報を表示することにより、ユーザは、自分の動きの評価を知ることができる。評価情報送信部１０７の機能は、例えば、プロセッサ１１と通信インターフェース１３とが協働することにより実現される。
【００７６】
次に、図９を参照して、課金サーバ１００が実行するアップロード促進処理について説明する。アップロード促進処理は、主に、ダウンロード料金の割引と評価情報の提供とにより、センシングデータのアップロードの促進を図る処理である。
【００７７】
まず、プロセッサ１１は、割引情報の送信要求があるか否かを判別する（ステップＳ１０１）。割引情報は、ダウンロード料金の割引に関する情報である。割引情報は、例えば、第１割引情報と第２割引情報とを含む。割引情報の送信要求は、例えば、端末装置４００が備えるタッチスクリーン４３に対して、割引情報を用いた設定画面の表示を要求する操作がなされた場合、端末装置４００から課金サーバ１００に送信される。プロセッサ１１は、通信インターフェース１３にこの送信要求が受信されたか否かを判別する。
【００７８】
プロセッサ１１は、割引情報の送信要求があると判別すると（ステップＳ１０１：ＹＥＳ）、第１割引情報を送信する（ステップＳ１０２）。例えば、プロセッサ１１は、通信インターフェース１３を制御して、ハードディスク１２に記憶された第１割引情報を端末装置４００に送信する。プロセッサ１１は、ステップＳ１０２の処理を完了すると、第２割引情報を送信する（ステップＳ１０３）。例えば、プロセッサ１１は、通信インターフェース１３を制御して、ハードディスク１２に記憶された第２割引情報を端末装置４００に送信する。
【００７９】
なお、端末装置４００は、課金サーバ１００から第１割引情報と第２割引情報とを受信すると、第１割引情報と第２割引情報とに基づく設定画面を表示する。以下、図１１を参照して、端末装置４００が表示する設定画面８１０について説明する。設定画面８１０は、センシングデータのアップロード設定とユーザ情報のアップロード設定とを実行するための画面である。
【００８０】
まず、設定画面８１０は、アップロードするセンシングデータの種別の設定を受け付ける。具体的には、設定画面８１０は、動作関連データをアップロードするか否かの設定と、身体関連データをアップロードするか否かの設定とを受け付ける。また、設定画面８１０は、基本ユーザ情報をアップロードするか否かの設定を受け付ける。設定画面８１０は、基本ユーザ情報の入力を受け付ける。また、設定画面８１０は、詳細ユーザ情報をアップロードするか否かの設定を受け付ける。設定画面８１０は、詳細ユーザ情報の入力を受け付ける。
【００８１】
また、設定画面８１０は、割引額情報を提示する。割引額情報は、現在のアップロードの設定における割引額の推定値を示す情報である。割引額の推定値は、例えば、第１割引情報と、第２割引情報と、動作関連データの現在のアップロード設定、身体関連データの現在のアップロード設定、基本ユーザ情報の現在のアップロード設定、詳細ユーザ情報の現在のアップロード設定などにより算出される。なお、割引額の推定値は、更に、ダウンロード実績又はダウンロード料金が考慮されて算出されてもよい。ユーザは、割引額情報を参照して、アップロードするデータ又は情報を選択することができる。
【００８２】
設定画面８１０で設定された情報である設定情報は、フラッシュメモリ４２に記憶される。また、端末装置４００は、課金サーバ１００とデータ収集サーバ３００とに設定情報を送信する。課金サーバ１００は、設定情報をハードディスク１２に記憶する。データ収集サーバ３００は、設定情報を記憶装置に記憶する。
【００８３】
プロセッサ１１は、割引情報の送信要求がないと判別した場合（ステップＳ１０１：ＮＯ）、又は、ステップＳ１０３の処理を完了した場合、センシングデータのアップロードがあるか否かを判別する（ステップＳ１０４）。例えば、プロセッサ１１は、通信インターフェース１３を介して、データ収集サーバ３００にセンシングデータがアップロードされたか否かをデータ収集サーバ３００に問い合わせる。一方、データ収集サーバ３００は、アップロードされたセンシングデータがあるか否かを課金サーバ１００に返信する。
【００８４】
なお、センシングデータのアップロードは、基本的に、コンテンツデータのダウンロードが実行された後に実行される。つまり、端末装置４００がコンテンツ提供サーバ２００にコンテンツデータのダウンロードを要求すると、コンテンツ提供サーバ２００は端末装置４００にコンテンツデータを送信する。端末装置４００は、受信したコンテンツデータに基づいて、制御装置５１０を介して動作装置５２０の動作を制御する。
【００８５】
また、端末装置４００は、動作装置５２０の動作中に、制御装置５１０を介してセンサ５３０からセンシングデータを収集する。そして、動作装置５２０の動作が完了すると、端末装置４００は、フラッシュメモリ４２に記憶された設定情報に基づいて、センシングデータをデータ収集サーバ３００に送信する。つまり、端末装置４００は、設定情報によりアップロードが許可されているセンシングデータをアップロードする。
【００８６】
プロセッサ１１は、センシングデータのアップロードがあると判別すると（ステップＳ１０４：ＹＥＳ）、評価情報を生成する（ステップＳ１０５）。例えば、プロセッサ１１は、通信インターフェース１３を介してデータ収集サーバ３００から受信したセンシングデータと、ハードディスク１２に記憶されたモデルデータとに基づいて、評価情報を生成する。モデルデータは、例えば、ユーザが理想的な動作をしたときに収集されることが期待される理想的なセンシングデータである。
【００８７】
プロセッサ１１は、ステップＳ１０５の処理を完了すると、評価情報を送信する（ステップＳ１０６）。例えば、プロセッサ１１は、通信インターフェース１３を介して端末装置４００に評価情報を送信する。一方、端末装置４００は、受信した評価情報に基づいて、評価提示画面を表示する。
【００８８】
図１２を参照して、端末装置４００が表示する評価提示画面８２０について説明する。評価提示画面８２０は、アップロードされたセンシングデータに基づく評価を提示する画面である。ここでは、ユーザの動作を示すセンシングデータがアップロードされ、評価提示画面８２０には、ユーザの動作の評価が提示されるものとする。
【００８９】
評価提示画面８２０は、例えば、総合評価と、ランキングと、動作タイミングの評価と、動作量の評価と、手の動きの評価と、足の動きの評価と、胴体の動きの評価とを提示する。総合評価は、例えば、ユーザの身体全体の動きが、どの程度、理想的な動きに近いのかを示す指標である。ランキングは、例えば、同一条件でセンシングデータをアップロードした人を理想的な動きに近い順に並べた場合におけるユーザの順位である。
【００９０】
動作タイミングの評価は、例えば、ユーザが動くタイミングが、どの程度、理想的なタイミングに近いのかを示す指標である。動作量の評価は、例えば、ユーザの動作量が、どの程度、理想的な動作量に近いのかを示す指標である。手の動きの評価は、例えば、ユーザの手の動きが、どの程度、理想的な手の動きに近いのかを示す指標である。足の動きの評価は、例えば、ユーザの足の動きが、どの程度、理想的な足の動きに近いのかを示す指標である。胴体の動きの評価は、例えば、ユーザの胴体の動きが、どの程度、理想的な胴体の動きに近いのかを示す指標である。
【００９１】
プロセッサ１１は、センシングデータのアップロードがないと判別した場合（ステップＳ１０４：ＮＯ）、又は、ステップＳ１０６の処理を完了した場合、課金額算出要求があるか否かを判別する（ステップＳ１０７）。例えば、プロセッサ１１は、現在時刻が課金額の算出時刻であると判別する場合、課金額算出要求があると判別する。課金額の算出時刻は、例えば、課金額の算定期間の末尾の時刻であり、例えば、月の最後の日の２４時である。プロセッサ１１は、課金額算出要求がないと判別すると（ステップＳ１０７：ＮＯ）、ステップＳ１０１に処理を戻す。
【００９２】
一方、プロセッサ１１は、課金額算出要求があると判別すると（ステップＳ１０７：ＹＥＳ）、課金額算出処理を実行する（ステップＳ１０８）。以下、図１０を参照して、課金額算出処理について詳細に説明する。
【００９３】
まず、プロセッサ１１は、ダウンロード実績情報を取得する（ステップＳ２０１）。例えば、プロセッサ１１は、通信インターフェース１３を介して、コンテンツ提供サーバ２００から一ヶ月分のダウンロード実績情報を取得する。プロセッサ１１は、ステップＳ２０１の処理を完了すると、ダウンロード料金を算出する（ステップＳ２０２）。例えば、プロセッサ１１は、ハードディスク１２に記憶された契約情報とコンテンツ提供サーバ２００から取得したダウンロード実績情報とに基づいて、ダウンロード料金を算出する。
【００９４】
プロセッサ１１は、ステップＳ２０２の処理を完了すると、アップロード実績情報を取得する（ステップＳ２０３）。例えば、プロセッサ１１は、通信インターフェース１３を介して、データ収集サーバ３００から一ヶ月分のアップロード実績情報を取得する。プロセッサ１１は、ステップＳ２０３の処理を完了すると、ユーザ情報のアップロード状況を特定する（ステップＳ２０４）。例えば、プロセッサ１１は、設定画面８１０で設定され、ハードディスク１２に記憶された設定情報に基づいて、基本ユーザ情報のアップロードの有無と、詳細ユーザ情報のアップロードの有無とを特定する。
【００９５】
プロセッサ１１は、ステップＳ２０４の処理を完了すると、割引額を算出する（ステップＳ２０５）。例えば、プロセッサ１１は、アップロード実績情報と、基本ユーザ情報のアップロードの有無と、詳細ユーザ情報のアップロードの有無とに基づいて、割引額を算出する。なお、プロセッサ１１は、第１割引情報又は第２割引情報により割引率が示されている場合、割引率とダウンロード料金との積を割引額として算出する。
【００９６】
プロセッサ１１は、ステップＳ２０５の処理を完了すると、課金額を算出する（ステップＳ２０６）。例えば、プロセッサ１１は、ステップＳ２０２で算出したダウンロード料金からステップＳ２０５で算出した割引額を減じた金額を課金額として算出する。プロセッサ１１は、ステップＳ２０６の処理を完了すると、課金額算出処理を完了する。
【００９７】
プロセッサ１１は、ステップＳ１０８の処理を完了すると、課金額情報を送信する（ステップＳ１０９）。例えば、プロセッサ１１は、ステップＳ１０８の処理で算出された課金額を示す情報である課金額情報を、通信インターフェース１３を介して、端末装置４００に送信する。プロセッサ１１は、ステップＳ１０９の処理を完了すると、ステップＳ１０１に処理を戻す。
【００９８】
本実施形態では、コンテンツデータのダウンロードに対するダウンロード料金から、センシングデータのアップロード実績に応じた割引額を減じた金額が、課金額として算出される。従って、本実施形態によれば、センシングデータのアップロードの促進が期待できる。
【００９９】
なお、本実施形態のように、動作装置５２０とセンサ５３０との双方が被服６００に取り付けられている場合、コンテンツデータのダウンロードとセンシングデータのアップロードとの双方が実現されやすい。つまり、この場合、コンテンツデータのダウンロードとセンシングデータのアップロードとの双方を、簡単な構成で、且つ、ほぼ同時に実行可能である。従って、センシングデータのアップロードのための手間やリソースが少なくて済むため、センシングデータのアップロードの促進が期待できる。
【０１００】
また、本実施形態では、センシングデータのアップロードによる割引額又は割引率を示す第１割引情報が端末装置４００に送信される。従って、本実施形態によれば、センシングデータのアップロードにより得られる利益の提示により、センシングデータのアップロードの更なる促進が期待できる。
【０１０１】
また、本実施形態では、センシングデータとともにユーザ情報がアップロードされた場合、割引額が高く算出される。従って、本実施形態によれば、ユーザ情報のアップロードの促進が期待でき、センシングデータの有効利用が期待できる。
【０１０２】
また、本実施形態では、ユーザ情報のアップロードによる割引額又は割引率を示す第２割引情報が端末装置４００に送信される。従って、本実施形態によれば、ユーザ情報のアップロードにより得られる利益の提示により、ユーザ情報のアップロードの更なる促進が期待でき、センシングデータの有効利用が更に期待できる。
【０１０３】
また、本実施形態では、センシングデータに基づいて生成された評価情報が、端末装置４００に提供される。従って、本実施形態によれば、センシングデータのアップロードの更なる促進が期待できる。
【０１０４】
（実施形態２）
実施形態１では、１つのアカウントが一人のユーザにより使用される例について説明した。１つのアカウントが複数のユーザにより共用されてもよい。また、実施形態１では、動作装置５２０とセンサ５３０とが１つの被服６００に取り付けられる例について説明した。動作装置５２０とセンサ５３０とが、それぞれ、別の被服６００に取り付けられてもよい。また、実施形態１では、センシングデータに基づいて評価情報が生成される例について説明した。センシングデータに基づいてアドバイス情報が生成されてもよい。以下、本実施形態について説明する。なお、実施形態１と実施形態２とにおいて同一又は類似する構成又は機能については、適宜、説明を省略する。
【０１０５】
本実施形態では、図１３に示すように、端末装置４００Ａを操作するユーザ９００Ａと、端末装置４００Ｂを操作するユーザ９００Ｂとが、１つのアカウントを利用して、コンテンツデータのダウンロードとセンシングデータのアップロードとを実行する。なお、ユーザ９００Ａが端末装置４００Ｂを操作してもよいし、ユーザ９００Ｂが端末装置４００Ａを操作してもよい。端末装置４００Ａと端末装置４００Ｂとは、基本的に、端末装置４００と同様の構成及び機能を有する。端末装置４００Ａと端末装置４００Ｂとを、適宜、端末装置４００という。課金サーバ１００が算出する課金額は、ユーザ９００Ａとユーザ９００Ｂとにより共用される１つのアカウントに対する課金額である。
【０１０６】
また、ダウンロード料金が従量制又は定額従量制である場合、ダウンロード料金は、ユーザ９００Ａによるコンテンツデータのダウンロード実績とユーザ９００Ｂによるコンテンツデータのダウンロード実績との双方に基づいて算出される。また、ダウンロード料金に対する割引額は、ユーザ９００Ａによるセンシングデータのアップロード実績とユーザ９００Ｂによるセンシングデータのアップロード実績との双方に基づいて算出される。また、ダウンロード料金に対する割引額は、ユーザ９００Ａによるユーザ情報のアップロードの有無とユーザ９００Ｂによるユーザ情報のアップロードの有無との双方に基づいて算出される。
【０１０７】
また、本実施形態では、図１３に示すように、ユーザ９００Ａとユーザ９００Ｂとは、被服６００Ａと被服６００Ｂと被服６００Ｃとを、自由に着用する。被服６００Ａは、基本的に、被服６００と同様の構成である。つまり、被服６００Ａには、制御装置５１０と複数の動作装置５２０と複数のセンサ５３０とが取り付けられる。被服６００Ｂは、複数のセンサ５３０が取り付けられない点を除き、基本的に、被服６００と同様の構成である。つまり、被服６００Ｂには、制御装置５１０と複数の動作装置５２０とが取り付けられる。
【０１０８】
被服６００Ｃは、複数の動作装置５２０が取り付けられない点を除き、基本的に、被服６００と同様の構成である。つまり、被服６００Ｂには、制御装置５１０と複数のセンサ５３０とが取り付けられる。被服６００Ａと被服６００Ｂと被服６００Ｃとを、適宜、被服６００という。なお、被服６００Ａが第１被服である場合、被服６００Ｃが第２被服である。被服６００Ｂが第１被服である場合、被服６００Ａと被服６００Ｃとは第２被服である。
【０１０９】
端末装置４００Ａと端末装置４００Ｂとは、被服６００Ａが備える制御装置５１０と通信してもよいし、被服６００Ｂが備える制御装置５１０と通信してもよいし、被服６００Ｃが備える制御装置５１０と通信してもよい。ここで、コンテンツ提供サーバ２００からダウンロードされたコンテンツデータに基づいて、被服６００Ａが備える動作装置５２０の動作、又は、被服６００Ｂが備える動作装置５２０の動作が制御される。また、被服６００Ａが備えるセンサ５３０から取得されたセンシングデータ、又は、被服６００Ｃが備えるセンサ５３０から取得されたセンシングデータが、データ収集サーバ３００にアップロードされる。
【０１１０】
ここで、同一のアカウントを利用する場合、コンテンツデータのダウンロード先と、センシングデータの取得元と、使用される端末装置４００と、ユーザとは、いずれであっても構わない。例えば、ユーザ９００Ａが被服６００Ｂを着用したときにダウンロードされたコンテンツデータに対するダウンロード料金から、ユーザ９００Ｂが被服６００Ｃを着用したときにアップロードされたセンシングデータのアップロード実績に応じた割引額を減じた金額が、アカウントに対する課金額として算出されてもよい。
【０１１１】
次に、図１４を参照して、課金システム１１００の機能について説明する。なお、課金システム１１００は、実質的に、課金サーバ１００である。図１４に示すように、課金システム１１００は、機能的には、ダウンロード料金算出部１０１と、割引額算出部１０２と、課金額算出部１０３と、第１割引情報送信部１０４と、第２割引情報送信部１０５と、アドバイス情報生成部１０８と、アドバイス情報送信部１０９とを備える。
【０１１２】
つまり、課金システム１１００は、機能的には、評価情報生成部１０６と評価情報送信部１０７とに代えて、アドバイス情報生成部１０８とアドバイス情報送信部１０９とを備える点を除き、課金システム１０００と同様である。アドバイス情報生成手段は、例えば、アドバイス情報生成部１０８に対応する。アドバイス情報送信手段は、例えば、アドバイス情報送信部１０９に対応する。
【０１１３】
アドバイス情報生成部１０８は、データ収集サーバ３００にアップロードされたセンシングデータに基づいて、アドバイス情報を生成する。アドバイス情報は、ユーザの動作とユーザの身体状態とのうちの少なくとも一方に対するアドバイスを示す情報である。例えば、ユーザの健康状態を示すセンシングデータがアップロードされた場合、アドバイス情報生成部１０８は、ユーザの健康状態を改善するためのアドバイスを示すアドバイス情報を生成する。ユーザの健康状態を示すセンシングデータは、例えば、脈拍センサ、発汗センサなどのセンサ５３０から収集されるセンシングデータである。アドバイス情報生成部１０８の機能は、例えば、プロセッサ１１の機能により実現される。
【０１１４】
アドバイス情報送信部１０９は、アドバイス情報生成部１０８により生成されたアドバイス情報を、ユーザが操作する端末装置４００に送信する。一方、端末装置４００は、受信したアドバイス情報に基づいて、例えば、図１５に示すアドバイス提示画面８３０を表示する。
【０１１５】
アドバイス提示画面８３０は、ユーザＡに対して運動することをアドバイスし、ユーザＢに対して医師に相談することをアドバイスする画面である。ユーザＡとユーザＢとは、アドバイス提示画面８３０により提示されたアドバイスに従って行動することが可能である。つまり、ユーザＡとユーザＢとは、アドバイスを受けるために、積極的に、センシングデータをアップロードする可能性がある。なお、ユーザＡは、ユーザ９００Ａに対応し、ユーザＢは、ユーザ９００Ｂに対応する。このようなアドバイス提示画面８３０が表示されることは、例えば、以下のことを意味する。
【０１１６】
例えば、ユーザＡは、動作装置５２０として加速度センサと脈拍センサとを備える被服６００を着用した状態で運動する。そして、ユーザＡの運動中に、加速度センサから収集されたセンシングデータである第１センシングデータと、脈拍センサから収集されたセンシングデータである第２センシングデータとがアップロードされる。ここで、アドバイス情報生成部１０８は、第１センシングデータに基づいて、ユーザＡが運動中であると判別する。また、アドバイス情報生成部１０８は、第２センシングデータに基づいて、ユーザＡの脈拍が平均値よりも高いと判別する。ここで、アドバイス情報生成部１０８は、ユーザＡは、運動時における脈拍が高いと判別する。そして、アドバイス情報生成部１０８は、運動時の脈拍を下げるために日常的に運動することをアドバイスするアドバイス情報を生成する。
【０１１７】
なお、端末装置４００は、ユーザがアカウントにログインするときに、ユーザを識別するためのユーザ識別情報をユーザから受け付け、ユーザ識別情報をコンテンツ提供サーバ２００又はデータ収集サーバ３００に送信することが好適である。かかる構成によれば、コンテンツ提供サーバ２００は、コンテンツデータをダウンロードするユーザを特定可能であり、データ収集サーバ３００は、センシングデータをアップロードするユーザを特定可能である。
【０１１８】
このように、アカウントは、複数のユーザにより利用されてもよい。ここで、ダウンロード料金算出部１０１は、複数のユーザによるコンテンツデータのダウンロードに対するダウンロード料金を算出する。また、割引額算出部１０２は、複数のユーザによるセンシングデータのアップロード実績に基づいて、ダウンロード料金に対する割引額を算出する。
【０１１９】
また、本実施形態では、センシングデータに基づいて生成されたアドバイス情報が、端末装置４００に提供される。従って、本実施形態によれば、センシングデータのアップロードの更なる促進が期待できる。
【０１２０】
（変形例）
以上、本発明の実施形態を説明したが、本発明を実施するにあたっては、種々の形態による変形及び応用が可能である。
【０１２１】
本発明において、上記実施形態において説明した構成、機能、動作のどの部分を採用するのかは任意である。また、本発明において、上述した構成、機能、動作のほか、更なる構成、機能、動作が採用されてもよい。また、上述した実施形態は、適宜、自由に組み合わせることができる。また、上述した実施形態で説明した構成要素の個数は、適宜、調整することができる。また、本発明において採用可能な素材、サイズ、電気的特性などが、上記実施形態において示したものに限定されないことは勿論である。
【０１２２】
実施形態１では、課金システム１０００により実現される全ての機能が、実質的に、課金サーバ１００により実現される例について説明した。課金システム１０００により実現される一部の機能が、課金サーバ１００以外の装置により実現されてもよい。例えば、第１割引情報送信部１０４と第２割引情報送信部１０５と評価情報生成部１０６と評価情報送信部１０７とのうちの少なくとも１つが、コンテンツ提供サーバ２００又はデータ収集サーバ３００により実現されてもよい。
【０１２３】
実施形態１では、繊維構造体６１０が備える導電層６１１及び導電層６１２が、メッシュ状の開孔を有する例について説明した。導電層６１１及び導電層６１２がメッシュ状の開孔を有していなくてもよい。また、実施形態１では、繊維構造体６１０が、導電層６１１及び導電層６１２の２つの導体層を備える例について説明した。繊維構造体６１０が、３つ以上の導体層を備えていてもよい。
【０１２４】
実施形態１では、制御装置５１０と動作装置５２０とセンサ５３０とが、２つの導体層を用いたＩ２Ｃ通信により通信する例について説明した。制御装置５１０と動作装置５２０とセンサ５３０とが、他の有線通信により通信してもよい。また、繊維構造体６１０が導体層を備えず、制御装置５１０と動作装置５２０とセンサ５３０とが、無線通信により通信してもよい。
【０１２５】
実施形態１では、センシングデータを、動作関連データと身体関連データとに分類する手法について説明した。センシングデータを分類する手法は、この例に限定されないことは勿論である。例えば、センシングデータは、センサの種別毎に分類されてもよい。例えば、センシングデータは、加速度センサにより検出されたセンシングデータ、ジャイロセンサにより検出されたセンシングデータ、温度センサにより検出されたセンシングデータというように、細かく分類されてもよい。
【０１２６】
実施形態１では、ユーザ情報を、基本ユーザ情報と詳細ユーザ情報とに分類する手法について説明した。ユーザ情報を分類する手法は、この例に限定されないことは勿論である。例えば、ユーザ情報は、性別、年齢、在住地域、コンテンツデータを利用したゲームのプレイ年数、平均プレイ時間のように、詳細に分類されてもよい。
【０１２７】
本発明に係る課金サーバ１００、端末装置４００の動作を規定する動作プログラムを既存のパーソナルコンピュータや情報端末装置に適用することで、当該パーソナルコンピュータ等を本発明に係る課金サーバ１００、端末装置４００として機能させることも可能である。また、このようなプログラムの配布方法は任意であり、例えば、ＣＤ−ＲＯＭ（Compact Disk Read-Only Memory）、ＤＶＤ（Digital Versatile Disk）、メモリカードなどのコンピュータ読み取り可能な記録媒体に格納して配布してもよいし、インターネットなどの通信ネットワークを介して配布してもよい。
【０１２８】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、請求の範囲によって示される。そして、請求の範囲内及びそれと同等の発明の意義の範囲内で施される様々な変形が、本発明の範囲内とみなされる。
【符号の説明】
【０１２９】
１１，４１  プロセッサ、１２  ハードディスク、１３  通信インターフェース、４２  フラッシュメモリ、４３  タッチスクリーン、４４  第１通信インターフェース、４５  第２通信インターフェース、１００  課金サーバ、１０１  ダウンロード料金算出部、１０２  割引額算出部、１０３  課金額算出部、１０４  第１割引情報送信部、１０５  第２割引情報送信部、１０６  評価情報生成部、１０７  評価情報送信部、１０８  アドバイス情報生成部、１０９  アドバイス情報送信部、２００  コンテンツ提供サーバ、３００  データ収集サーバ、４００，４００Ａ，４００Ｂ  端末装置、５１０  制御装置、５２０  動作装置、５３０  センサ、５４０  電源装置、５５０  取付部材、５５１  回路基板、５５２  支持部材、５５３，５５４，５６０，５６３  電極、５５５，５５６，５５７  電線、５５８  中継基板、５５９  固定部材、５６１  ソケット、５６２  鋲、５６４  突出部、６００，６００Ａ，６００Ｂ，６００Ｃ  被服、６１０  繊維構造体、６１１，６１２  導電層、６１３  絶縁層、７００  通信ネットワーク、８１０  設定画面、８２０  評価提示画面、８３０  アドバイス提示画面、９００Ａ，９００Ｂ  ユーザ、１０００，１１００  課金システム
【図１】
2020166343.tif 000003
【図２】
2020166343.tif 000004
【図３】
2020166343.tif 000005
【図４】
2020166343.tif 000006
【図５】
2020166343.tif 000007
【図６】
2020166343.tif 000008
【図７】
2020166343.tif 000009
【図８】
2020166343.tif 000010
【図９】
2020166343.tif 000011
【図１０】
2020166343.tif 000012
【図１１】
2020166343.tif 000013
【図１２】
2020166343.tif 000014
【図１３】
2020166343.tif 000015
【図１４】
2020166343.tif 000016
【図１５】
2020166343.tif 000017